(57)【要約】  【課題】扉等を備えないものであっても既存の棚に容易に適用することができ、個人の収納物や機密性の高い収納物を個別にロック状態で収納することを可能とする新規有用なセキュリティユニットを提供する。  【解決手段】側板４２にスリット４３を開口させてなる棚空間４１に取付具１を介して後付けにより収納物５を係留させる係留バー２を取り付けるようにしたものであって、取付具１は、一対の爪１１ｕ、１１ｄを上下方向に相対移動させることによってスリット４３の２箇所に係合させた相対位置で第１止着具１４により固定されるものであり、係留バー２は、棚空間４１の幅方向に配設される係留領域２１、及び、この係留領域２１の両端部より側板４２の内面４４に沿って棚空間４１の奥方に延出する取付領域２２を一体的に備え、この取付領域２２上を第２止着具１５を介して少なくとも取付具１の一部に奥行き方向位置調整可能に固定されるものである。  【選択図】図２
2006081679.tif 000002
【特許請求の範囲】
【請求項１】
側板にスリットを開口させてなる棚空間に取付具を介して後付けにより収納物を係留させる係留バーを取り付けるようにしたものであって、
前記取付具は、一対の爪を上下方向に相対移動させることによってスリットの２箇所に係合させた相対位置で第１止着具により固定され、
前記係留バーは、棚空間の幅方向に配設される係留領域、及び、この係留領域の両端部より側板の内面に沿って棚空間の奥方に延出する取付領域を一体的に備え、この取付領域上を第２止着具を介して少なくとも前記取付具の一部に奥行き方向位置調整可能に固定されることを特徴とするセキュリティユニット。
【請求項２】
係留領域が棚空間の幅方向に沿って伸縮可能である請求項１記載のセキュリティユニット。
【請求項３】
取付具の一部にバー挿通部を設け、係留バーの左右の取付領域を対応する左右のバー挿通部に挿通するようにしたものであって、略同時に前方に移動させることによって始めてそれらの取付領域をバー挿通部から抜脱させ得るようにしている請求項１又は２記載のセキュリティユニット。
【請求項４】
バー挿通部が、係留バーの取付領域の上下両縁をガイドするレール構造をなす請求項３記載のセキュリティユニット。
【請求項５】
バー挿通部が、係留バーの取付領域を貫通させる貫通孔構造をなす請求項３記載のセキュリティユニット。
【請求項６】
取付具が、相対移動可能な第１ブラケット及び第２ブラケットを具備し、これら両ブラケットの一方に上向き爪を、他方に下向き爪をそれぞれ設けている請求項１〜５記載のセキュリティユニット。
【請求項７】
第１ブラケットに設けた上下方向の長孔に挿通させた第１止着具を第２ブラケットに設けたねじ孔に螺合させることによって両ブラケットを所定の相対位置で固定し、係留バーの取付領域若しくは第２ブラケットの何れか一方に設けた前後方向の長孔に挿通させた第２止着具を他方に設けたねじ孔に螺合させることによって係留バーを所定の前後方向位置で固定するようにしている請求項６記載のセキュリティユニット。
【請求項８】
スリットが側板の内面に開口するものである一方、第１ブラケットは爪を係合させた状態で側板の内面に隙間を隔てて対面する押さえ片を備え、その押さえ片に上下方向の長孔を形成したものであり、また第２ブラケットは爪を係合させた状態で側板の内面に隙間を隔てて対面する押さえ片を備え、その押さえ片に前後方向の長孔を形成したものであり、両ブラケットの押さえ片同士を重合させた状態でそれらの隙間に係留バーの取付領域を挿入するようにしている請求項７記載のセキュリティユニット。
【請求項９】
スリットが側板の後向き面に開口するものである一方、第１ブラケットは爪を係合させた状態で側板の内面に隙間を隔てて対面する押さえ片を備え、その押さえ片に上下方向の長孔を形成したものであり、また第２ブラケットは爪を係合させた状態で側板の内面に隙間を隔てて対面する押さえ片を備え、その押さえ片に前後方向の長孔を形成したものであり、両ブラケットの押さえ片同士を重合させた状態でそれらの隙間に係留バーの取付領域を挿入するようにしている請求項７記載のセキュリティユニット。
【請求項１０】
スリットが側板の後向き面に開口するものである一方、第１ブラケットは爪を係合させた状態で側板の内面の後方に連続する延出片を備え、その延出片に上下方向の長孔を形成したものであり、また第２ブラケットは爪を係合させた状態で側板の内面の後方に連続する延出片を備え、その延出片に前後方向の長孔を形成したものであり、両ブラケットの延出片同士を重合させるようにしている請求項７記載のセキュリティユニット。
【請求項１１】
棚空間に配置される１又は２以上の収納物を前記係留バーに個別施開錠可能に係留させるための係留手段を更に具備する請求項１〜１０記載のセキュリティユニット。
【請求項１２】
棚空間が、閉止部材を備えないオープン棚に形成されるものである請求項１〜１１記載のセキュリティユニット。
【発明の詳細な説明】
【技術分野】
【０００１】
本発明は、各種収納物をオープン棚等に個別にロック状態で収納する上で有用となるセキュリティユニットに関するものである。
【背景技術】
【０００２】
従来より、各種収納物の収納の用に供するものとして、棚やロッカー、キャビネット等の収納家具がある。これらの収納家具は、オフィス等に配置されて複数人ないし多数人で共用され、個人の収納物や機密性の高い収納物を収納する際は、特許文献１の図５に例示されるように収納空間全体が施開錠可能な扉等の付帯した収納家具を利用するのが通例である。
【特許文献１】特開２００４−９２０２１
【発明の開示】
【発明が解決しようとする課題】
【０００３】
ところが、個人の収納物や機密性の高い収納物がさほど大きくない場合、これを個別にロック状態で保管するために収納空間全体を占有するのは極めて非効率的である。逆に、共用できる収納物を収納して施錠した場合は、鍵を管理している者以外は開錠できず、さりとて誰でも使用できる場所に鍵を置いたのでは施錠の意味をなさないため、施錠効果を損なわずに随時各人が施開錠を行うことは困難である。特に、オープン棚のような収納家具は閉止手段を備えないので、そのままで個人の収納物や機密性の高い収納物を個別にロック状態で保管することは全く期待できない。
【０００４】
本発明は、このような課題に着目してなされたものであって、扉等を備えないものであっても既存の棚に容易に適用することができ、個人の収納物や機密性の高い収納物を個別にロック状態で収納することを可能とする新規有用なセキュリティユニットを提供することを目的としている。
【課題を解決するための手段】
【０００５】
本発明は、上記の目的を達成するために、次のような手段を講じたものである。
【０００６】
すなわち、本発明のセキュリティユニットは、側板にスリットを開口させてなる棚空間に取付具を介して後付けにより収納物を係留させる係留バーを取り付けるようにしたものであって、前記取付具は、一対の爪を上下方向に相対移動させることによってスリットの２箇所に係合させた相対位置で第１止着具により固定されるものであり、前記係留バーは、棚空間の幅方向に配設される係留領域、及び、この係留領域の両端部より側板の内面に沿って棚空間の奥方に延出する取付領域を一体的に備え、この取付領域上を第２止着具を介して少なくとも前記取付具の一部に奥行き方向位置調整可能に固定されるものであることを特徴とする。
【０００７】
このようなものであると、爪の相対移動によってスリットのピッチ違いにも適切に対応することができ、後付けによる取り付けを実効あらしめることができる。そして、係留バーの奥方に取付具や止着具が位置するので、後付けにより係留バーを取り付けるようにしても、容易に取り外されることを防止して必要なセキュリティを確保することができる。特に、係留バーを奥行き方向に位置調整可能としているので、当該係留バーを止着具や取付具に接近させて位置づけることによって、取付部分をより視認し難く且つ外し難くして、セキュリティ効果を有効に高めることができる。
【０００８】
後付けの効果をより実効あらしめるためには、係留領域が棚空間の幅方向に沿って伸縮可能であることが望ましい。
【０００９】
止着具が外されたとしても係留バーの抜脱を有効に防止するためには、取付具の一部にバー挿通部を設け、係留バーの左右の取付領域を対応する左右のバー挿通部に挿通するようにして、略同時に前方に移動させることによって始めてそれらの取付領域をバー挿通部から抜脱させ得るようにしておくことが好ましい。
【００１０】
バー挿通部としては、係留バーの取付領域の上下両縁をガイドするレール構造をなすものや、係留バーの取付領域を貫通させる貫通孔構造をなすもの等が挙げられる。
【００１１】
取付具の簡易な構成としては、相対移動可能な第１ブラケット及び第２ブラケットを具備し、これら両ブラケットの一方に上向き爪を、他方に下向き爪をそれぞれ設けているものが好適である。
【００１２】
ブラケットの上下方向の相対動作と係留バーの前後位置調整機能とを好適に両立させる構造としては、第１ブラケットに設けた上下方向の長孔に挿通させた第１止着具を第２ブラケットに設けたねじ孔に螺合させることによって両ブラケットを所定の相対位置で固定し、係留バーの取付領域若しくは第２ブラケットの何れか一方に設けた前後方向の長孔に挿通させた第２止着具を他方に設けたねじ孔に螺合させることによって係留バーを所定の前後方向位置で固定するようにしているものが挙げられる。
【００１３】
スリットが側板の内面に開口している場合、第１ブラケットは爪を係合させた状態で側板の内面に隙間を隔てて対面する押さえ片を備え、その押さえ片に上下方向の長孔を形成したものとし、また第２ブラケットは爪を係合させた状態で側板の内面に隙間を隔てて対面する押さえ片を備え、その押さえ片に前後方向の長孔を形成したものとして、両ブラケットの押さえ片同士を重合させた状態でそれらの隙間に係留バーの取付領域を挿入するようにしているものが好適である。
【００１４】
スリットが側板の後向き面に開口している場合、第１ブラケットは爪を係合させた状態で側板の内面に隙間を隔てて対面する押さえ片を備え、その押さえ片に上下方向の長孔を形成したものとし、また第２ブラケットは爪を係合させた状態で側板の内面に隙間を隔てて対面する押さえ片を備え、その押さえ片に前後方向の長孔を形成したものとして、両ブラケットの押さえ片同士を重合させた状態でそれらの隙間に係留バーの取付領域を挿入するようにしているものが好適である。
【００１５】
或いは、スリットが側板の後向き面に開口している場合の態様として、第１ブラケットは爪を係合させた状態で側板の内面の後方に連続する延出片を備え、その延出片に上下方向の長孔を形成したものとし、また第２ブラケットは爪を係合させた状態で側板の内面の後方に連続する延出片を備え、その延出片に前後方向の長孔を形成したものとして、両ブラケットの延出片同士を重合させるようにしているものも好適である。
【００１６】
係留バーに収納物を好適に係留させるためには、棚空間に配置される１又は２以上の収納物を前記係留バーに個別施開錠可能に係留させるための係留手段を更に具備しておくことが望ましい。
【００１７】
本発明は、以上のような構成であるから、閉止部材を備えないオープン棚の棚空間に適用して極めて有用なものとなり得る。
【発明の効果】
【００１８】
本発明は、以上のようにして、既存の棚にも容易に後付けによって取り付けることができ、同時に安易には外し難い構造にして、個人の収納物や機密性の高い収納物を有効に係留させておくことができる係留バーを備えた新規有用なセキュリティユニットを提供することが可能となる。
【発明を実施するための最良の形態】
【００１９】
以下、本発明の実施形態を、図面を参照して説明する。
＜第１実施形態＞
この実施形態に係る収納空間のセキュリティユニットＳは、図１から図３に示すように、側板４２の内面４４にスリット４３を開口させた棚空間４１を有するオープン棚４に適用されるもので、そのスリット４３に取付具１を介して収納物５を係留させる係留バー２を後付けにより取り付け得るようにしたものである。
【００２０】
スリット４３は、棚板４６を高さ変更可能に取り付けるべく、前後に列をなして所定ピッチで上下方向に開口しているもので、図２及び図３はそのうちの正面視左側縁に位置する前端側のスリット４３を示している。棚板４６は、左右両縁における前端部及び後端部がそれぞれ対応位置に同一高さで開口するスリット４３に図示していない棚爪を介して取り付けられる。
【００２１】
取付具１は、一対の爪１１ｕ、１１ｄを相対移動可能に設けたもので、これらの爪１１ｕ、１１ｄを上下方向に間欠的に存在するスリット４３の２箇所に係合させた相対位置で第１止着具１４により固定されるようにしている。具体的には、この取付具１は下向き爪１１ｄを有する第１ブラケット１２と、上向き爪１１ｕを有する第２ブラケット１３とを具備してなる。
【００２２】
第１ブラケット１２は、短冊状の押さえ片１２１と、この押さえ片１２１の下端に段部１２１ａを介して突出する下向き爪１１ｄとを備え、下向き爪１１ｄをスリット４３に係合させた状態で押さえ片１２１が側板４２の内面４４に所定隙間を隔てて対面し得る構造をなしている。この押さえ片１２１には上下方向の長孔１２３が形成してある。
【００２３】
一方、第２ブラケット１３は、逆Ｔ字状の押さえ片１３１と、この押さえ片１３１の中央に位置する立部１３１ａの上端側に段部１３１ｂを介して突出する上向き爪１１ｕとを備え、上向き爪１１ｕをスリット４３に係合させた状態で押さえ片１３１が側板４２の内面４４に所定隙間を隔てて対面し得る構造をなしている。この押さえ片１３１の立部１３１ａに対して前後に位置する前延出部１３１ｃ及び後延出部１３１ｄには、先端が開放された前後方向に延びる長孔１３３が形成してあり、立部１３１ａの基端近傍と中央近傍には、ガイド突起１３５とねじ孔１３４がそれぞれ設けてある。
【００２４】
他方、係留バー２は、棚空間４１の幅方向に配設されて伸縮可能な係留領域２１、及び、この係留領域２１の両端部より側板４２の内面４４に沿って棚空間４１の奥方に延出する取付領域２２を一体的に備えたものである。係留領域２１は、一部がテレスコープ構造をなし、連続性を損なうことなく伸縮して棚空間４１の幅寸法に合致する長さ寸法に調整できるようになっている。この係留領域２１の端部は、鉛直下向に折れ曲がり、更に水平奥方に折れ曲がって取付領域２２に連なっており、取付領域２２は扁平な板状に形成されて、この取付領域２２の前方にガイド突起２２ａを、後方にねじ孔２２ｂをそれぞれ設けている。
【００２５】
そして、第２ブラケット１３のガイド突起１３５と第１ブラケット１２の長孔１２３とを対応させて、第２ブラケット１３の押さえ片１３１を構成する立部１３１ａに第１ブラケット１２の押さえ片１２１を重合させ、かつ、第２ブラケット１３の押さえ片１３１を構成する前延出部１３１ｃ及び後延出部１３１ｄに沿ってそれらと側板４２の内面４４との隙間に係留バー２の取付領域２２を、当該取付領域２２のガイド突起２２ａを前延出部１３１ｃの長孔１３３に係合させた状態で挿入するようにしている。そして、両ブラケット１２、１３を所定の相対位置に調整した後、第１ブラケット１２の長孔１２３に挿通させた第１止着具１４を第２ブラケット１３のねじ孔１３４に締着することによって、両ブラケット１２、１３を所定の相対位置で固定し、また、係留バー２の取付領域２２を奥行き方向に位置調整した後、後延出部１３１ｄの長孔１３３に第２止着具１５を挿通してねじ孔２２ｂに締着することによって、係留バー２を第２ブラケット１３に取り付けるようにしている。
【００２６】
なお、前延出部１３１ｃ及び後延出部１３１ｄの上下両縁は外側に折れ曲がってレール構造１６１のバー挿通部１６を構成しており、取り付けの際にはこのバー挿通部１６に係留バー２の取付領域２２を挿通するようにしている。また、第１止着具１４及び第２止着具１５は、頂部に六角孔や十字溝等の操作部１４ａ、１５ａを刻設された円形状の頭部を有するもので、ドライバーやレンチ等の工具を用いて止着作業が行われるものである。
【００２７】
このようにして係留バー２を取り付けた後は、係留手段３によって、棚空間４１に配置される１又は２以上の収納物５を前記係留バー２に個別施開錠可能に係留させるようにしている。
【００２８】
この係留手段３は、図１に示すように、係留バー２と収納物５の間を接続する接続部材３１の一部に設けた施開錠機構３２を通じてその接続状態を維持／解除するものである。具体的にこの接続部材３１は、可撓性及び強度を備え両端にループ３１ａが形成された線条体を主体として構成される。施開錠機構３２は南京錠タイプのもので、例えば、収納物５としてＰＣを収納する可搬性のボックス等の側壁５１に設けた突起５２と線条体の一端側に位置するループ３１ａとを施開錠機構３２の閉じ杆３２ａに挿し通し、その状態で閉じ杆３２ａを閉止してロックすることで、ループ３１ａが突起５２から離れ得ない状態にするものである。そして、線条体の他端側に位置するループ３１ａを予め係留バー２に挿し通しておけば、収納物５ごとに選択的に係留バー２に係留させることが可能となる。この実施形態では、収納物５のボックス内を開閉するファスナーのスライド部５ｘを突起５２の奥に閉じ込めるようにしている。
【００２９】
以上のように、この実施形態のセキュリティユニットＳは、側板４２にスリット４３を開口させてなる棚空間４１に取付具１を介して後付けにより収納物５を係留させる係留バー２を取り付けるようにしたものであり、取付具１は、一対の爪１１ｕ、１１ｄを上下方向に相対移動させることによってスリット４３の２箇所に係合させた相対位置で第１止着具１４により固定され、係留バー２は、棚空間４１の幅方向に配設される係留領域２１、及び、この係留領域２１の両端部より側板の内面に沿って棚空間４１の奥方に延出する取付領域２２を一体的に備え、この取付領域２２上を第２止着具１５を介して少なくとも前記取付具１の一部に奥行き方向位置調整可能に固定されるようにしたものである。
【００３０】
このため、スリット４３のピッチ違いにも適切に対応することができ、後付けでも種々の棚に有効に適合させることが可能となる。そして、係留バー２の奥方に取付具１や第１・第２止着具１４、１５が位置し、係留バー２で遮られて前方から取付部分が視認し難い取付構造をなすとともに、視認された場合にも奥まった位置に第１・第２止着具１４、１５や取付具１が存在することで取り外し難いという心理的効果が働くので、後付けによって係留バー２を取り付けるようにしても、容易に取り外されることを防止して必要なセキュリティを確保することができる。特に、この種の係留バー２は脱落防止バー等とは違って係留領域２１が棚空間４１の前方よりもむしろ奥方に位置することが好ましいことを踏まえ、係留バー２を奥行き方向に位置調整可能として当該係留バー２を第１・第２止着具１４、１５や取付具１に接近させて位置づければ、取付部分がより視認し難く且つ外し難くなるので、セキュリティ効果を一層高めることができる。特に、第１止着具１４及び第２止着具１５の操作部１４ａ、１５ａが、ドライバーやレンチ等の工具を用いなければ外れない構造をなしているので、この点においても安易に取り外されることを有効に防止することができる。その上、このものは係留バー２を取り付ける際、棚４の側板４２にねじ孔を穿設する等の加工が全く不要であって、予め棚４の側板４２に設けられたスリット４３さえあれば足りるため、棚４に対しての加工が全く不要である点も取付上のメリットとなる。
【００３１】
加えて、係留領域２１を棚空間４１の幅方向に沿って伸縮可能としているため、幅寸法違いの棚にも有効に適用することができ、後付けによる効果をより実効あらしめることができる。
【００３２】
その際、取付具１の一部にバー挿通部１６を設け、係留バー２の左右の取付領域２２を対応する左右のバー挿通部１６に挿通するようにしたものであって、略同時に前方に移動させることによって始めてそれらの取付領域２２をバー挿通部１６から抜脱させ得る構造をなしているため、たとえ第２止着具１５が取り外されたとしても、１人では左右の取付領域２２を略同時に前方に移動させることが難しく、移動のタイミングがずれた場合には係留バー２の取付領域２２が側板４２、４２間でこじれて抜き差しならない状態を招き易くすることができるので、係留バー２が安易に取り外されることをより有効に防止することが可能となる。
【００３３】
特に、バー挿通部１６を、係留バー２の取付領域２２の上下両縁をガイドするレール構造１６１にしているため、押さえ片１３１の前延出部１３１ｃ及び後延出部１３１ｄの上下両縁に折り曲げ加工等を施すだけで簡単にレールを構成できて、有効な抜脱防止効果を揚げることができる。
【００３４】
また、取付具１を、相対移動可能な第１ブラケット１２及び第２ブラケット１３から構成し、これら両ブラケット１２、１３の一方に上向き爪１１ｕを、他方に下向き爪１１ｄをそれぞれ設けているため、単純な構造のブラケットを２つ用いるだけで取付具１を構成することができ、動作も安定確実なものにして、必要な強度も確保することができる。
【００３５】
具体的には、第１ブラケット１２に設けた上下方向の長孔１２３に挿通させた第１止着具１４を第２ブラケット１３に設けたねじ孔１３４に螺合させることによって両ブラケット１２、１３を所定の相対位置で固定し、係留バー２の取付領域２２若しくは第２ブラケット１３の何れか一方に設けた前後方向の長孔１３３に挿通させた第２止着具１５を他方に設けたねじ孔２２ｂに螺合させることによって係留バー２を所定の前後方向位置で固定するようにしているため、各止着具１４、１５を各々対応する長孔１２３、１３３の適宜部位に位置づけて締着することで、両ブラケット１２、１３の上下方向の相対動作と係留バー２の前後位置調整とを好適に両立して行なうことができる。
【００３６】
より詳細には、本実施形態の棚は、側板４２の内面４４にスリット４３が開口する棚４を対象にして、第１ブラケット１２は爪１１ｄを係合させた状態で側板４２の内面４４に隙間を隔てて対面する押さえ片１２１を備え、その押さえ片１２１に上下方向の長孔１２３を形成したものであり、また第２ブラケット１３は爪１１ｕを係合させた状態で側板４２の内面４４に隙間を隔てて対面する押さえ片１３１を備え、その押さえ片１３１に前後方向の長孔１３３を形成したものであり、両ブラケット１２、１３の押さえ片同士１２１、１３１を重合させた状態でそれらの隙間に係留バー２の取付領域２２を挿入するようにしているので、既存の大半の棚製品が有するスリット構造に有効に適合させることができる。
【００３７】
加えて本実施形態は、棚空間４１に配置される１又は２以上の収納物５を前記係留バー２に個別施開錠可能に係留させるための係留手段３を更に具備しているため、個人の収納物５や機密性の高い収納物５を個別にロック状態で有効に保管することが可能となる。
【００３８】
本実施形態は、以上のように棚が扉等の閉止部材を備えないオープン棚４であり、収納物５の出し入れが容易であると同時に、個々人が別々に収納物５をロックして保管できる状態が実現されるので、フリーアドレスの形態を採用するオフィス等で実施した場合に極めて有用なものとなり得る。
＜第２実施形態＞
次に、本発明の第２実施形態を、図面を参照して説明する。
【００３９】
この実施形態に係る収納空間のセキュリティユニットＸＳは、図４、図５に示すように、側板Ｘ４２の後ろ向き面Ｘ４５にスリットＸ４３を開口させた棚空間を有するオープン棚に適用されるもので、そのスリットＸ４３に取付具Ｘ１を介して収納物を係留させる係留バーＸ２を後付けにより取り付け得るようにしたものである。
【００４０】
取付具Ｘ１は、前述した第１実施形態のように、下向き爪Ｘ１１ｄを有する第１ブラケットＸ１２と、上向き爪Ｘ１１ｕを有する第２ブラケットＸ１３とを具備し、両ブラケット同士Ｘ１２、Ｘ１３の相対移動を可能にしたものである。そして、これらの前記爪Ｘ１１ｄ、Ｘ１１ｕを、上下方向に間欠的に存在するスリットＸ４３の２箇所に係合させた相対位置で、第１止着具Ｘ１４により固定されるようにしている。
【００４１】
第１ブラケットＸ１２は、矩形状の押さえ片Ｘ１２１と、この押さえ片Ｘ１２１の後縁から外方へ直角に曲折した折片Ｘ１２４とを形成した略Ｌ字形のもので、当該折片Ｘ１２４の下端に段部Ｘ１２４ａを介して突出する下向き爪Ｘ１１ｄを備えている。当該下向き爪Ｘ１１ｄをスリットＸ４３に係合させた状態で押さえ片Ｘ１２１が側板Ｘ４２の内面Ｘ４４に所定隙間を隔てて対面し得る構造をなしている。この押さえ片Ｘ１２１には上下方向の長孔Ｘ１２３が形成してある。
【００４２】
一方、第２ブラケットＸ１３は、矩形状の押さえ片Ｘ１３１と、この押さえ片Ｘ１３１の後端から外方へ直角に折曲した折片Ｘ１３６とを形成した略Ｌ字形のもので、当該折片Ｘ１３６の上端に段部Ｘ１３６ａを介して突出する上向き爪Ｘ１１ｕを備えている。当該上向き爪Ｘ１１ｕをスリットＸ４３に係合させた状態で押さえ片Ｘ１３１が側板Ｘ４２の内面Ｘ４４に所定隙間を隔てて対面し得る構造をなしている。この押さえ片Ｘ１３１の前方上端側には前後方向に延びる長孔Ｘ１３３を形成するとともに、その押さえ片Ｘ１３１の後方下端の近傍には、ねじ孔Ｘ１３４を設けている。また、前記長孔Ｘ１３３の前後方向に直交する折片Ｘ１３６の一部に貫通孔Ｘ１６２を設けることで、貫通孔構造のバー挿通部Ｘ１６を構成している。
【００４３】
他方、係留バーＸ２は、第１実施形態で説明したものと同様に、伸縮可能な係留領域Ｘ２１、及び、この係留領域Ｘ２１の両端部より側板Ｘ４２の内面Ｘ４４に沿って棚空間の奥方に延出する取付領域Ｘ２２を一体的に備えたものである。なお、この係留領域Ｘ２１の端部は、水平奥方に折れ曲がって取付領域Ｘ２２に連なっており、取付領域Ｘ２２は扁平な板状に形成されて、この取付領域Ｘ２２の前方にねじ孔Ｘ２２ｂを設けている。
【００４４】
そして、第２ブラケットＸ１３の押さえ片Ｘ１３１と折片Ｘ１３６との角部Ｘ１３ａに、第１ブラケット１２の押さえ片Ｘ１２１と折片Ｘ１２４との角部Ｘ１２ａを対応させて、両ブラケットＸ１２、Ｘ１３の押さえ片同士Ｘ１２１、Ｘ１３１を重合させるとともに、第２ブラケットＸ１３の押さえ片Ｘ１３１と側板Ｘ４２の内面Ｘ４４との隙間に係留バーＸ２の取付領域Ｘ２２を、前記第２ブラケットＸ１３に設けた貫通孔Ｘ１６２に貫通させた状態で挿入するようにしている。そして、両ブラケットＸ１２、Ｘ１３を所定の相対位置に調整した後、第１ブラケットＸ１２の長孔Ｘ１２３に挿通させた第１止着具Ｘ１４を第２ブラケットＸ１３のねじ孔Ｘ１３４に締着することによって、両ブラケットＸ１２、Ｘ１３を所定の相対位置で固定し、また、係留バーＸ２の取付領域Ｘ２２を奥行き方向に位置調整した後、第２ブラケットＸ１３の長孔Ｘ１３３に第２止着具Ｘ１５を挿通してねじ孔Ｘ２２ｂに締着することによって、係留バーＸ２を第２ブラケットＸ１３に取り付けるようにしている。
【００４５】
なお、第１止着具Ｘ１４及び第２止着具Ｘ１５は、ここでは説明を省略するが、前述の第１実施形態で説明したものと同様のものである。
【００４６】
このようにして係留バーＸ２を取り付けた後は、前述の第１実施形態と同様の係留手段によって、棚空間に配置される１又は２以上の収納物を前記係留バーＸ２に個別施開錠可能に係留させるようにしている。
【００４７】
以上のように、第２実施形態のセキュリティユニットＸＳは、スリットＸ４３が側板Ｘ４２の後向き面Ｘ４５に開口するものである一方、第１ブラケットＸ１２は爪Ｘ１１ｄを係合させた状態で側板Ｘ４２の内面Ｘ４４に隙間を隔てて対面する押さえ片Ｘ１２１を備え、その押さえ片Ｘ１２１に上下方向の長孔Ｘ１２３を形成したものであり、また第２ブラケットＸ１３は爪Ｘ１１ｕを係合させた状態で側板Ｘ４２の内面Ｘ４４に隙間を隔てて対面する押さえ片Ｘ１３１を備え、その押さえ片Ｘ１３１に前後方向の長孔Ｘ１３３を形成したものであり、両ブラケットＸ１２、Ｘ１３の押さえ片同士Ｘ１２１、Ｘ１３１を重合させた状態でそれらの隙間に係留バーＸ２の取付領域Ｘ２２を挿入するようにしたものである。
【００４８】
このため、後向き面Ｘ４５にスリットＸ４３が開口していると、両ブラケットＸ１２、Ｘ１３の取付構造が前方から視認されないので、取り外し方法が容易には把握できない状態にすることができる。
【００４９】
特に、バー挿通部Ｘ１６が、係留バーＸ２の取付領域Ｘ２２を貫通させる貫通孔Ｘ１６２を用いた貫通孔構造をなしているので、穿孔作業によって第２ブラケットＸ１３にバー挿通部Ｘ１６である貫通孔Ｘ１６２を簡単に形成することができる。
【００５０】
なお、各部の具体的な構成は、上述した第１実施形態及び第２実施形態のみに限定されるものではない。
【００５１】
例えば、スリットが側板の後ろ向き面に開口するものである一方、側板の内面に取付具が当接する当接しろが十分ない場合やセキュリティをより確実に図る場合には、第２実施形態の変形例として、前記スリットに取り付けられる取付具が前記後ろ向き面より後方に延出した形状であるセキュリティユニットＹＳが挙げられる。
【００５２】
具体的には、図６に示すように、取付具Ｙ１は、上向きの爪Ｙ１１ｕを有する第１ブラケットＹ１２と、下向きの爪Ｙ１１ｄを有する第２ブラケットＹ１３とを具備し、前記ブラケット同士Ｙ１２、Ｙ１３の相対移動を可能にしたものである。
【００５３】
第１ブラケットＹ１２は爪Ｙ１１ｕを係合させた状態で側板Ｙ４２の内面Ｙ４４の後向き面Ｙ４５後方に連続する延出片Ｙ１２２を備え、その延出片Ｙ１２２に上下方向の長孔Ｙ１２３を形成したものであり、また第２ブラケットＹ１３は爪Ｙ１１ｄを係合させた状態で側板Ｙ４２の内面Ｙ４４の後向き面Ｙ４５後方に連続する延出片Ｙ１３２を備え、その延出片Ｙ１３２に前後方向の長孔Ｙ１３３を形成したものであり、両ブラケットＹ１２、Ｙ１３の延出片同士Ｙ１２２、Ｙ１３２を重合させて、両ブラケットＹ１２、Ｙ１３を２箇所のスリットＹ４３に係合する所定の相対位置で第１止着具Ｙ１４により固定し、前記係留バーＹ２を第２ブラケットＹ１３に設けた貫通孔Ｙ１６２に貫通させて、第２止着具Ｙ１５にて所定の前後方向位置で固定する。
【００５４】
このようなものであると、後向き面Ｙ４５にスリットＹ４３が開口していると、両ブラケットＹ１２、Ｙ１３の取付構造が前方から視認されないので、取り外し方法が容易には把握できない状態にすることができる。しかも、第２実施形態とは異なり、側板Ｙ４２の内面Ｙ４４に十分な当接しろがない場合にも適用できる点で有効であり、また両ブラケットＹ１２、Ｙ１３が更に奥方に位置することで一層取り外し難くなる利点も得られる。
【００５５】
その他の構成も、本発明の趣旨を逸脱しない範囲で種々変形が可能である。
【図面の簡単な説明】
【００５６】
【図１】本発明の第１実施形態に係るセキュリティユニットの使用状態を示す斜視図。
【図２】同実施形態に係るセキュリティユニットを示す斜視図。
【図３】同実施形態に係るセキュリティユニットを示す分解斜視図。
【図４】本発明の第２実施形態に係るセキュリティユニットを示す斜視図。
【図５】同実施形態に係るセキュリティユニットを示す分解斜視図。
【図６】同実施形態の変形例に係るセキュリティユニットを示す斜視図。
【符号の説明】
【００５７】
１、Ｘ１、Ｙ１…取付具
２、Ｘ２、Ｙ２…係留バー
３…係留手段
４…オープン棚
５…収納物
１１ｕ、１１ｄ、Ｘ１１ｕ、Ｘ１１ｄ、Ｙ１１ｕ、Ｙ１１ｄ…爪
１２、Ｘ１２、Ｙ１２…第１ブラケット
１３、Ｘ１３、Ｙ１３…第２ブラケット
１４、Ｘ１４、Ｙ１４…第１止着具
１５、Ｘ１５、Ｙ１５…第２止着具
１６、Ｘ１６…バー挿通部
２１、Ｘ２１…係留領域
２２、Ｘ２２…取付領域
４１…棚空間
４２、Ｘ４２、Ｙ４２…側板
４３、Ｘ４３、Ｙ４３…スリット
４４、Ｘ４４、Ｙ４４…内面
１２１、Ｘ１２１、１３１、Ｘ１３１…押さえ片
１２３、Ｘ１２３、Ｙ１２３、１３３、Ｘ１３３、Ｙ１３３…長孔
１３４、Ｘ１３４、２２ｂ、Ｘ２２ｂ…ねじ孔
１６１…レール構造
Ｓ、ＸＳ、ＹＳ…セキュリティユニット
Ｘ４５、Ｙ４５…後向き面
Ｘ１６２、Ｙ１６２…貫通孔構造（貫通孔）
Ｙ１２２、Ｙ１３２…延出片
【図１】
2006081679.tif 000003
【図２】
2006081679.tif 000004
【図３】
2006081679.tif 000005
【図４】
2006081679.tif 000006
【図５】
2006081679.tif 000007
【図６】
2006081679.tif 000008